(57)【要約】【課題】  ＩＣカードなどのカード型記録担体の所有者個人が、その情報をいつでも容易に確認できるとともに、複数のカード型記録担体を安全に携帯することができるようにする。【解決の手段】  堅牢な携帯用カードケースに、カード型記録担体とデータ通信を行う通信制御部、記録担体の情報を表示する表示部、記録担体に電力を供給する電力供給部を設けた。さらに、カードケースに外部専用端末装置とのデータ通信機能や、暗証番号入力などに必要なキー入力装置を設けた。また、カードケースには、複数のカード型記録担体を収納可能とし、データ通信を行うカード型記録担体を選択可能とした。【選択図】  図１
2005266879.tif 000002
【特許請求の範囲】
【請求項１】
カード型記録担体を収納する携帯用カードケースにおいて、前記カード型記録担体とデータ通信を行う通信制御部、前記カード型記録担体内の情報を表示する表示部、前記カード型記録担体に電力を供給する電力供給部を有することを特徴とする携帯用カードケース。
【請求項２】
外部専用端末装置との間で、データ通信を行う機能を有することを特徴とする請求項１記載の携帯用カードケース。
【請求項３】
キー入力装置を有することを特徴とする請求項１又は２記載の携帯用カードケース。
【請求項４】
前記カード型記録担体を複数収納し、データ通信を行う前記カード型記録担体を選択できることを特徴とする請求項１から３のいずれか一項に記載の携帯用カードケース。
【請求項５】
前記カード型記録担体がＩＣカードであることを特徴とする請求項１に記載の携帯用カードケース。
【請求項６】
カード型記録担体と、前記カード型記録担体とデータ通信を行う通信制御部と、前記カード型記録担体内の情報を表示する表示部と、前記カード型記録担体に電力を供給する電力供給部とを有することを特徴とする前記カード型記録担体の携帯用収納ケース。
【発明の詳細な説明】
【技術分野】
【０００１】
この発明は、ＩＣカードなどのカード型記録担体を収納する表示機能付き携帯用カードケースに関する。
【背景技術】
【０００２】
従来、ＩＣカードなどのカード型記録担体の情報を表示させるには、専用端末装置が必要であった。しかしながら、クレジットカードの利用履歴など、個人が所有するＩＣカードなどの情報を確認したいというニーズが生じ、表示機能付きのＩＣカードが発案された（例えば、特許文献１参照）。これは、表示内容を無電源で保持できる表示装置を設けたものであり、表示内容を書き換える際の電力は外部から供給されるものである。これに対して、電力供給手段を搭載し、表示画面をスクロール可能なＩＣカードも発案されている（例えば、特許文献２参照）。
【特許文献１】特開２００３−１５７４１４号公報（第１項）
【特許文献２】特開２００２−９９８８４号公報（第１項）
【発明の開示】
【発明が解決しようとする課題】
【０００３】
従来の表示機能付きカード型記録担体は、上述のように表示内容を無電源で保持できる表示装置を設けた無電源型とスクロールなどの表示機能を設けた電源搭載型がある。しかしながら、無電源型の場合、表示内容を書き換えるためには外部電源を必要とし、多彩な表示機能を搭載することが困難であるという問題があった。また、電源搭載型の場合、多彩な表示機能を搭載することが可能であるものの、搭載できる電源が限定され、実用的ではないという問題があった。すなわち、ＩＣカードなどの表示機能付きカード型記録担体は、非常に薄いコイン型あるいはシート型の１次電池あるいは２次電池を搭載するのが普通であるが、構造上、電源交換が困難であるため、充電のできない１次電池は、表示時間に制限があり、長期間の使用ができない。また、２次電池は充電可能であるものの、高速充電ができないため、非接触充電のような低電流、高速充電には向かない。さらに、２次電池の場合には、過充電に対する保護回路などを設けなければならず、そのスペースも必要であるといったことが問題となり、実用化が困難である。
【０００４】
また、ＩＣカードなどの表示機能付きカード型記録担体は、その本体自体が使用者の本人確認を行うことができないのが一般的であり、紛失した場合など、第３者に容易に情報が漏洩する恐れがあるという問題がある。
【０００５】
さらに、ＩＣカードなどのカード型記録担体は、通常複数所有しており、多数の収納箇所を有する財布などのケースで携帯するのが一般的である。しかし、財布などの携帯ケースは、堅牢性に乏しく、ズボンの尻ポケットなどに入れた際の曲がりなどが発生するという問題がある。特に、表示機能付きカード型記録担体は、表示装置などの耐久性に大きな問題がある。
【課題を解決するための手段】
【０００６】
上記課題を解決するために、本発明では、カード型記録担体本体に表示装置を設けず、堅牢な携帯用カードケースに表示機能を付加した。
【０００７】
すなわち、本発明に係るカード型記録担体を収納する携帯用カードケースは、前記カード型記録担体とデータ通信を行う通信制御部、前記カード型記録担体内の情報を表示する表示部、前記カード型記録担体に電力を供給する電力供給部を有する。
【０００８】
さらに、本発明の携帯用カードケースは、外部専用端末装置との間で、データ通信を行う機能を有する。
【０００９】
本発明の携帯用カードケースは、好ましくは、キー入力装置を有する。
【００１０】
さらに好ましくは、本発明の携帯用カードケースは、前記カード型記録担体を複数収納し、データ通信を行う前記カード型記録担体を選択できる。
【００１１】
また、前記カード型記録担体がＩＣカードであっても良い。
【００１２】
さらに、本発明のカード型記録担体の携帯用収納ケースは、前記カード型記録担体とデータ通信を行う通信制御部と、前記カード型記録担体内の情報を表示する表示部と、前記カード型記録担体に電力を供給する電力供給部とを有する。
【発明の効果】
【００１３】
この発明による表示機能付き携帯用カードケースによれば、ＩＣカードなどのカード型記録担体の情報を容易に確認できるとともに、複数のカード型記録担体を安全に携帯することができる。
【発明を実施するための最良の形態】
【００１４】
まず、図１に基づき、本発明の実施形態の詳細を説明する。
【００１５】
本発明では、携帯用カードケース本体１０１に、カード型記録担体１０２とデータ通信を行う通信制御部１０３、カード型記録担体１０２の情報を表示する表示部１０４、カード型記録担体１０２に電力を供給する電力供給部１０５を少なくとも設けた。これは、カードケースに表示装置を設けることにより、表示装置の補強が容易にできるためであり、堅牢な金属製あるいは樹脂製ケースを使用することが望ましい。また、搭載する電源についても、交換が可能であるため、市販の乾電池やコイン型リチウム１次電池などを使用できる。
【００１６】
全体の制御は、中央処理装置１０６で行い、制御プログラムなどを記憶するメモリや通信制御部１０３などを集積化した集積回路としても良い。なお、中央処理装置１０６の集積化については、様々な構成が考えられ、上記組合せに限定されない。
【００１７】
カード型記録担体１０２は、外部インターフェイス１０７を通じて、携帯用カードケース本体１０１とデータ通信を行い、電力供給を受ける。この時、データ通信及び電力供給は、接点を接触させて行う接触型、電波などを使用して行う非接触型のいずれでも良い。
【００１８】
また、携帯用カードケース本体１０１は、外部インターフェイス１０７を通じて、外部専用端末装置１０８との間でデータ通信を行う機能を設けることができる。これにより、カード型記録担体１０２を携帯用カードケース本体１０１から取り出すことなく、外部専用端末装置１０８とのデータ通信が可能となる。この時のデータ通信の手段としては、赤外線通信などの非接触型通信手段が利用できる。
【００１９】
また、携帯用カードケース本体１０１は、キー入力部１０９を設けることができる。これは、主として暗証番号の入力や外部専用端末装置１０８とのデータ通信を行う操作用などに利用される。特に、暗証番号入力が可能となることによって、第三者に容易に情報が漏洩するのを防ぐことができる。
【００２０】
さらに、携帯用カードケース本体１０１は、カード型記録担体１０２を複数収納でき、その中から、データ通信を行うカード型記録担体１０２を選択できる機能を設けることができる。ＩＣカードなどのカード型記録担体１０２は、複数所持するのが一般的であり、全てを携帯用カードケース本体１０１に収納することが可能となる。その際、データ通信を行うカード型記録担体１０２を選択する方法として、カード型記録担体１０２の収納箇所を指定する方法、特定の収納箇所のみデータ通信可能とする方法などが考えられる。
【００２１】
なお、本発明におけるカード型記録担体１０２とは、データを記録する機能、外部とデータを通信する機能を少なくとも有していれば良い。一般には、クレジットカード、定期券、プリペイドカードなどとして利用されるＩＣチップなどを搭載したカードなどが該当する。
【実施例】
【００２２】
以下、本発明の実施形態の一例を図に従って説明する。
【００２３】
図２に示したように、携帯用カードケース本体１０１には、表示部１０４とキー入力部１０９が設けられている。その側面には、カード型記録担体１０２の収納部１１０及び１１１と本体の電源スイッチ１１２が設けられ、収納部１１０はデータ通信可能な収納部、収納部１１１はデータ通信不可能な収納部である。携帯用カードケース本体１０１は、収納するカード型記録担体であるカード型記録担体１０２よりも一回り大きく、収納部以外のスペースにカード型記録担体や外部専用端末とのデータ通信を行う通信制御部、電力を供給する電力供給部が配置される。
【００２４】
図３に示したように、携帯用カードケース本体１０１は、手帳のように開くことが可能な形状となっており、一方の面に表示部１０４とキー入力部１０９が設けられ、カード型記録担体や外部専用端末とのデータ通信を行う通信制御部、電力を供給する電力供給部、電源スイッチ１１２が配置される。他方の面には、カード型記録担体であるカード型記録担体１０２の収納部１１０が設けられ、側面よりカード型記録担体の装脱着を行う。ここで、収納部１１０は、すべてデータ通信可能な収納部であり、データ通信を行いたいカード型記録担体をキー入力で選択し、指定のカード型記録担体のみとデータ通信を行うことができる。
【産業上の利用可能性】
【００２５】
この発明による表示機能付き携帯用カードケースによれば、ＩＣカードなどのカード型記録担体の所有者が、その情報をいつでも容易に確認できるとともに、複数のカード型記録担体を安全に携帯することができる。
【図面の簡単な説明】
【００２６】
【図１】本発明による表示機能付き携帯用カードケースの構成を示すブロック図である。
【図２】本発明による表示機能付き携帯用カードケースを示す図である。
【図３】本発明による表示機能付き携帯用カードケースを示す図である。
【符号の説明】
【００２７】
１０１  表示機能付き携帯用カードケース本体
１０２  カード型記録担体
１０３  通信制御部
１０４  表示部
１０５  電力供給部
１０６  中央処理装置（ＣＰＵ）
１０７  外部インターフェイス
１０８  外部専用端末装置
１０９  キー入力部
１１０  データ通信可能なカード型記録担体収納部
１１１  データ通信不可能なカード型記録担体収納部
１１２  本体の電源スイッチ
【図１】
2005266879.tif 000003
【図２】
2005266879.tif 000004
【図３】
2005266879.tif 000005